(57)【要約】【課題】  互いを挿入してのコンパクトな格納・運搬が可能でありながら、使用時にはフレーム体等を要することなくごみ箱を積層連結してごみの分別が可能な積層式ごみ箱を提供することを目的とする。【解決手段】  底部より大きな面積の上部開口を有するごみ箱において、前記底部に着脱可能に装着した連結底板９を介して複数のごみ箱１、１・・を積層連結可能に構成したことにより、互いを挿入してのコンパクトな格納・運搬が可能なごみ箱１を、底部（底板挿入溝部４、４）に連結底板９を装着することによって、下部のごみ箱１内に上部のごみ箱１が落下・挿入されることなく積層が可能となるので、少ないスペースで多種類のごみの分別ができる上、分解しての格納・運搬時には、互いを挿入して積層したごみ箱１内に連結底板９を収納してコンパクトに纏めることができる。【選択図】  図１
2006298595.tif 000002
【特許請求の範囲】
【請求項１】
底部より大きな面積の上部開口を有するごみ箱において、前記底部に着脱可能に装着した連結底板を介して複数のごみ箱を積層連結可能に構成したことを特徴とする積層式ごみ箱。
【請求項２】
前記連結底板が、ごみ箱底部の挿入溝部にスライド自在に挿入されたことを特徴とする請求項１に記載の積層式ごみ箱。
【請求項３】
前記連結底板とごみ箱底部の挿入溝部との対向面にスライド位置を適正に位置決めする節度機構を設けたことを特徴とする請求項２に記載の積層式ごみ箱。
【請求項４】
前記連結底板の裏面に、ごみ箱の開口上縁部に形成された連結部に整合する連結部が形成されたことを特徴とする請求項１から３のいずれかに記載の積層式ごみ箱。
【請求項５】
前記ごみ箱の正面にごみ投入口を形成するとともに、該ごみ投入口に扉ユニットを着脱可能に装着したことを特徴とする請求項１から４のいずれかに記載の積層式ごみ箱。
【請求項６】
前記ごみ箱の側面に把手開口または把手係止孔を形成したことを特徴とする請求項１から５のいずれかに記載の積層式ごみ箱。
【発明の詳細な説明】
【技術分野】
【０００１】
本発明は、底部より大きな面積の上部開口を有するごみ箱に係り、互いを挿入してのコンパクトな格納・運搬が可能でありながら、使用時には積層連結してごみの分別が可能な積層式ごみ箱に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があり、頭を悩ませているところである。そのようなことから、比較的小さなごみ箱を利用してごみの分別を行うものとして、フレーム体内に複数のごみ箱を傾斜させて積層するものが提案された（例えば下記特許文献１参照）。
【特許文献１】実開平５−８９３０２号公報（請求項１および図１参照）
【発明の開示】
【発明が解決しようとする課題】
【０００３】
前記特許文献１に開示された並設式ごみ箱は、図４に示すように、キャスター２８を垂設したフレーム体２３にごみ箱収納空隙２４を並設状態に形成し、該ごみ箱収納空隙２４の底部にごみ箱体２１を傾斜状態に支承する支承フレーム２５を形成するとともに、奥部にごみ箱体２１の挿入先端側底部を支承するストッパー部２６を形成し、各ごみ箱収納空隙２４にごみ箱体２１を取り出し自在に差し込み挿入配設し、各ごみ箱体２１に前記並列配設状態で開閉自在な開閉蓋２７を付設したものである。
【０００４】
このように構成することによって、フレーム体２３にごみ箱体２１を取り出し自在に差し込み挿入でき、多段配設した状態で各ごみ箱体２１の開閉蓋２７を開閉させても使用でき、また、この並設式ごみ箱をキャスター２８にて自由移動できる等、きわめて実用性に優れた分別ごみ箱が実現できることとなった。しかしながら、前記従来のもののような積層式のごみ箱にあっては、各ごみ箱体２１を傾斜して積層するには、これらのごみ箱体２１を差し込み挿入配設するための大がかりなフレーム体２３を必要とした。そのために、折角、ごみ箱体２１が底部より大きな面積の上部開口を有して、互いを挿入してのコンパクトな格納・運搬が可能でありながら、並設式ごみ箱としては、格納・運搬に嵩張り、コストアップを招いた。
【０００５】
そこで本発明は、前記従来のごみ箱の諸課題を解決して、互いを挿入してのコンパクトな格納・運搬が可能でありながら、使用時にはフレーム体等を要することなくごみ箱を積層連結してごみの分別が可能な積層式ごみ箱を提供することを目的とする。
【課題を解決するための手段】
【０００６】
そのため本発明は、底部より大きな面積の上部開口を有するごみ箱において、前記底部に着脱可能に装着した連結底板を介して複数のごみ箱を積層連結可能に構成したことを特徴とする。また本発明は、前記連結底板が、ごみ箱底部の挿入溝部にスライド自在に挿入されたことを特徴とする。また本発明は、前記連結底板とごみ箱底部の挿入溝部との対向面にスライド位置を適正に位置決めする節度機構を設けたことを特徴とする。また本発明は、前記連結底板の裏面に、ごみ箱の開口上縁部に形成された連結部に整合する連結部が形成されたことを特徴とする。また本発明は、前記ごみ箱の正面にごみ投入口を形成するとともに、該ごみ投入口に扉ユニットを着脱可能に装着したことを特徴とする。また本発明は、前記ごみ箱の側面に把手開口または把手係止孔を形成したことを特徴とするもので、これらを課題解決のための手段とするものである。
【発明の効果】
【０００７】
本発明では、底部より大きな面積の上部開口を有するごみ箱において、前記底部に着脱可能に装着した連結底板を介して複数のごみ箱を積層連結可能に構成したことにより、互いを挿入してのコンパクトな格納・運搬が可能なごみ箱を、底部に連結底板を装着することによって、下部のごみ箱内に上部のごみ箱が落下・挿入されることなく積層が可能となるので、少ないスペースで多種類のごみの分別ができる上、分解しての格納・運搬時には、互いを挿入して積層したごみ箱内に連結底板を収納してコンパクトに纏めることができる。
【０００８】
また、前記連結底板が、ごみ箱底部の挿入溝部にスライド自在に挿入された場合は、格別の連結具を準備することなく、連結底板をごみ箱底部に装着することができて、部品点数が有効に削減される。また、前記連結底板とごみ箱底部の挿入溝部との対向面にスライド位置を適正に位置決めする節度機構を設けた場合は、積層連結のためのごみ箱底部に対する連結底板のスライド位置を適正な位置に容易に位置決めできて、位置決め作業に煩わされることがない。さらに、前記連結底板の裏面に、ごみ箱の開口上縁部に形成された連結部に整合する連結部が形成された場合は、連結部の位置合せに煩わされることなく、ワンタッチにて容易にごみ箱同士を積層連結することが可能となる。
【０００９】
さらにまた、前記ごみ箱の正面にごみ投入口を形成するとともに、該ごみ投入口に扉ユニットを着脱可能に装着した場合は、積層されたごみ箱における上部のごみ箱を持ち上げたりせずに、ごみ投入口を介して容易にごみを投入することができる他、投入されたごみを扉にて外部と遮断して、臭気の発散の抑制や蠅等の飛来を防止できる。さらに、ごみ箱を互いに挿入してコンパクトに格納する際には、扉ユニットを分離できるので、邪魔になることがない。また、前記ごみ箱の側面に把手開口または把手係止孔を形成した場合は、ごみの廃棄のためのごみ箱ごとの運搬が容易となる。
【発明を実施するための最良の形態】
【００１０】
以下、本発明の実施例を図面に基づいて詳細に説明する。図１は本発明の積層式ごみ箱の第１実施例を示すもので、積層状態の分解斜視図、図２は本発明の積層式ごみ箱の第２実施例を示すもので、扉ユニット装着型の分解斜視図、図３はごみ箱を互いに挿入してコンパクトに格納した状態の断面図である。
【実施例１】
【００１１】
本発明の基本的な構成は、図１の第１実施例に示すように、底部より大きな面積の上部開口を有するごみ箱１において、前記底部（挿入溝部４、４）に着脱可能に装着した連結底板９を介して複数のごみ箱１、１・・を積層連結可能に構成したことを特徴とする。図示の例では、底部より大きな面積の上部開口を有するごみ箱１として、平面視で方形、側面視で上方に幅広の逆四角錐形状を呈するものが採用されている。この底部より大きな面積の上部開口を有するものであれば、種々のものが本発明の対象たり得る。例えば、平面視で、楕円形状、円形状、多角形状等である。つまりは、図３に示すように、ごみ箱１、１・・を互いに挿入して重合できてコンパクトに格納する形状のものであればいかなるものも採用できる。
【００１２】
ごみ箱１の上部開口における対向する上縁部には、それぞれ上部連結部３、３が形成される。図示の例では、上部連結部３は台形状の突起である雄連結部として形成されるが、溝部である雌連結部とされてもよい。ごみ箱１の底部における両側には、前記上部連結部３、３を結ぶ方向にチャンネル状の底板挿入溝部４、４が形成される。この底板挿入溝部４、４に連結底板９がスライド自在に挿入されて装着される。連結底板９はごみ箱１の底部よりも長く構成されて前記底板挿入溝部４、４からはみ出す。また、前記連結底板９とごみ箱１の底部の挿入溝部４との対向面にスライド位置を適正に位置決めする節度機構が設けられる。節度機構は、連結底板９の両縁底部に形成された４個の節度用突起９Ａと、これらに対応して底板挿入溝部４の表面に形成された４個の節度用孔４Ａとから構成される。かくして、積層連結のためのごみ箱１の底部に対する連結底板９のスライド位置を適正な位置に容易に位置決めできて、位置決め作業に煩わされることがない。
【００１３】
連結底板９の裏面には、図面に反転矢印で連結底板９を裏返して示すように、ごみ箱１の開口上縁部２に形成された連結部３、３に整合する台形状の雌溝から構成される下部連結部１０、１０が形成される。これにより、底部より大きな面積の上部開口を有するごみ箱１であっても、連結部３、３間の長さが確保された連結底板９を介して、フレーム体等の格別の枠体を要せずして、下部に位置するごみ箱１の上部を格別の連結具を準備することなく、ワンタッチにて容易に積層して連結することが可能となる。
【００１４】
ごみ箱１の正面上部には、ごみ投入口５が形成され、連結底板９を介したごみ箱１同士を上下に積層して連結した場合でも、積層されたごみ箱１における上部のごみ箱１を持ち上げたりせずに、ごみ投入口５を介して容易にごみを投入することができる。また、ごみ箱１の側面上部には、把手開口６または把手係止孔７、７が形成される。これにより、把手開口６に直接に手指を挿入するか、把手係止孔７、７に挿入係止された把手８を把持して、ごみの廃棄のためのごみ箱１ごとの運搬を容易にする。
【実施例２】
【００１５】
図２は本発明の積層式ごみ箱の第２実施例を示すもので、扉ユニット装着型の分解斜視図である。本実施例では、ごに箱１の正面上部に形成したごみ投入口５に対して、扉ユニット１２を着脱可能に装着したものである。ごみ投入口５の上端両側には取付段部５Ａ、５Ａが形成され、この部分に扉ユニット１２のフック状の取付部１３、１３が係止される。正面視でコの字形の扉ユニット１２に両側のスライド溝部１４には、扉１５が上下スライド自在に配設される。１６は摘み部である。スライド溝部１４に対して扉１５は所定の摩擦力を有し、いずれの位置にても停止可能に構成される。前記ごみ投入口５の取付段部５Ａの深さは、扉ユニット１２の取付部１３の厚さとほぼ等しくされ、扉ユニット１２が装着されても、連結底板９を介したごみ箱１同士の積層に支障がないようにされる。扉ユニット１２の装着により、投入されたごみを扉１５にて外部と遮断して、臭気の発散の抑制や蠅等の飛来を防止できる。さらに、後述する図３のように、ごみ箱１を互いに挿入してコンパクトに格納する際には、扉ユニット１２を分離できるので、邪魔になることがない。
【００１６】
図３はごみ箱を互いに挿入してコンパクトに格納した状態の断面図である。本発明の前記実施例にて説明したように、連結底板９を介して複数のごみ箱１、１・・を積層連結可能に構成できることとなった積層式ごみ箱の組立体を、分解して格納したり運搬する場合には、図示のように、ごみ箱１、１・・の互いを挿入して積層することができる。その際には、積層連結のために使用した連結底板９、９を最上段のごみ箱１内に収納してコンパクトに纏めることができる。また、前記扉ユニット１２についても、同様にごみ箱１内に収納することでコンパクトに纏めることができる。
【００１７】
以上、本発明の実施例について説明してきたが、本発明の趣旨の範囲内にて、ごみ箱の形状（底部より大きな面積の上部開口を有するなら、平面視で方形、楕円形状、円形状、多角形状等、側面視で上方に幅広の逆四角錐形状等、あるいは太鼓状であってもよい）、形式および材質（鋼板、アルミ等の金属、プラスチック、木材等）、連結底板の形状、形式および材質、連結底板とごみ箱底との連結形態（図示の実施例のもののようなスライド溝部に直接連結底板の両側が挿入されてもよいし、節度機構についても、突起と孔のみの他、ばね付勢されたボールと孔との組合せ等適宜の形態が採用され得る。スライド方式に限定されずに、ピンと孔との位置決め整合を伴ったビス等による装着、ごみ箱底部への連結底板のワンタッチ添設等等も本発明の範疇にある）、ごみ箱の開口上縁部における連結部と連結底板の連結部との連結形態（整合される雌雄の連結部の形状、例えば、台形の突起と溝からなる連結部、ピンと孔とによる連結部、連結部の個数等、また、いずれの側が雌雄であってもよい）、ごみ投入口の形状（方形、円形等）、扉ユニットの形状（円形の場合は、扉が回転式であってもよい。）等については適宜選定できる。
【図面の簡単な説明】
【００１８】
【図１】本発明の積層式ごみ箱の第１実施例を示すもので、積層状態の分解斜視図である。
【図２】本発明の積層式ごみ箱の第２実施例を示すもので、扉ユニット装着型の分解斜視図である。
【図３】ごみ箱を互いに挿入してコンパクトに格納した状態の断面図である。
【図４】従来の並設式ごみ箱を示す全体斜視図である。
【符号の説明】
【００１９】
１      ごみ箱
２      開口上縁部
３      上部連結部（雄突起等）
４      底板挿入溝部
４Ａ      節度用孔
５      ごみ投入口
５Ａ      取付段部
６      把手開口
７      係止孔
８      把手
９      連結底板
９Ａ      節度用突起
１０      下部連結部（雌溝等）
【図１】
2006298595.tif 000003
【図２】
2006298595.tif 000004
【図３】
2006298595.tif 000005
【図４】
2006298595.tif 000006